(57)【要約】      （修正有）【課題】通常の平型マスクやプリーツ状マスクでありながら、マスクと顔面間に空間を生じさせるアダプターを低価格かつ廃棄が容易なように実現する衛生マスク用アダプターを提供する。【解決手段】衛生マスクと着用者の顔面の間に介在されるアダプターにして、薄板状の素材により着用者の顔面の鼻および口付近を覆う内部に空間Ｓを有する碗状に構成するとともに複数の窓部Ｗを設けた形状とし、アダプターの周縁を表側に折り返して折り返し部１Ａを構成するとともに折り返し箇所の裏面に丸みを持たせる。【選択図】図１
0003227454.tif 000002
【実用新案登録請求の範囲】
【請求項１】
衛生マスクと着用者の顔面の間に介在されるアダプターにして、薄板状の素材により着用者の顔面の鼻および口付近を覆う内部に空間を有する碗状に構成するとともに複数の窓部を設けた形状からなり、アダプターの周縁を表側に折り返すとともに折り返し箇所の裏面に丸みを持たせたことを特徴とする衛生マスク用アダプター。
【請求項２】
薄板状の素材はプラスチックである請求項１記載の衛生マスク用アダプター。
【請求項３】
薄板状の素材は紙である請求項１記載の衛生マスク用アダプター。
【請求項４】
薄板状の素材は合成樹脂を含浸した紙である請求項２記載の衛生マスク用アダプター。
【請求項５】
薄板状の素材は合成樹脂を被覆した紙である請求項２記載の衛生マスク用アダプター。
【請求項６】
薄板状の素材は防水塗料を塗布した紙である請求項２記載の衛生マスク用アダプター。
【考案の詳細な説明】
【技術分野】
【０００１】
本願考案は衛生マスクと着用者の顔面の間に介在されて使用される衛生マスク用アダプターに関する。
【背景技術】
【０００２】
着用者の鼻と口を覆うことにより、着用者の唾、鼻水などの体液からなる飛沫の飛散を防止したり、細菌やウイルスの侵入を防止する衛生マスクが広く用いられている。
【０００３】
前記の衛生マスクは不織布や綿織物により平型に構成したもの、前面をプリーツ状に構成したものが一般的である。
【０００４】
前記の衛生マスクは両端のループを両耳にかけることによりマスク本体を顔面に密着させて使用に供されるが、そのために息苦しさを生じたり、マスクへ口紅などの化粧品が付着する問題があった。
【０００５】
そこで、マスクを人間の顔の形に合わせて立体的に縫製したり、立体形状を維持するために可撓性を有する枠材を内部に設ける提案がなされている（特許文献１）。また、衛生マスクと着用者の顔面の間に介在されて使用されるメッシュ状のドーム型のアダプターも提案されている（特許文献２）。
【先行技術文献】
【特許文献】
【０００６】
【特許文献１】実開昭５３−１１０７９４
【特許文献２】特開２００９−７２５２２
【考案の開示】
【考案が解決しようとする課題】
【０００７】
前記の従来技術によれば、マスクと顔面間に空間が生じるので息苦しさや化粧品が付着する問題が解消される。
【０００８】
しかしながら、前者の従来技術においては立体的に縫製したり枠材を内部に設けるために製造コストが嵩む問題を生じ、一方、洗濯して再使用することもできなかった。また、後者の従来技術においては線材をメッシュ状に構成しているので製造工程が複雑であり製造コストが嵩み、また金属でないとこのようなものは製造できないので金属アレルギ−の問題を考慮しなくてはならず、廃棄も容易でない問題を生じた。
【０００９】
本願考案は前記の問題点に鑑みて創作されたものであり、通常の平型マスクやプリーツ状マスクであっても、マスクと顔面間に空間を生じさせることを可能とするための衛生マスク用アダプターを低コストで提供することを目的として創作されたものである。
【課題を解決するための手段】
【００１０】
すなわち、本願考案の衛生マスク用アダプターは衛生マスクと着用者の顔面の間に介在されるアダプターにして、薄板状の素材により着用者の顔面の鼻および口付近を覆う内部に空間を有する碗状に構成するとともに複数の窓部を設けた形状からなり、アダプターの周縁を表側に折り返すとともに折り返し箇所の裏面に丸みを持たせたことを特徴とする。
【００１１】
また、請求項２記載の考案は前記の衛生マスク用アダプターにおいて、薄板状の素材はプラスチックであることを特徴とする。
【００１２】
また、請求項３記載の考案は前記の衛生マスク用アダプターにおいて、薄板状の素材は紙であることを特徴とする。
【００１３】
また、請求項４記載の考案は前記の衛生マスク用アダプターにおいて、薄板状の素材は合成樹脂を含浸した紙であることを特徴とする。
【００１４】
また、請求項５記載の考案は前記の衛生マスク用アダプターにおいて、薄板状の素材は合成樹脂を被覆した紙であることを特徴とする。
【００１５】
また、請求項６記載の考案は前記の衛生マスク用アダプターにおいて、薄板状の素材は防水塗料を塗布した紙であることを特徴とする。
【考案の効果】
【００１６】
以上の構成よりなる本願考案の衛生マスク用アダプターによれば、薄板状の素材により着用者の顔面の鼻および口付近を覆う碗状に構成されるとともに複数の窓部を設けた形状からなるので、これを衛生マスクと着用者の顔面の間に介在させればマスクと顔面間に空間が生じるとともに窓部により通気性が確保されているので息苦しさや化粧品が付着する問題が解消される。
【００１７】
この場合、衛生マスク自体は安価な通常の平型マスクやプリーツ状マスクを使用することができるので経済的であり、また、衛生マスクを洗濯することもできる。
【００１８】
一方、アダプターはプラスチックや紙により一体成形できるので安価に製造でき、しかも廃棄が容易となる。
【００１９】
さらに、本願考案においてはアダプターの周縁を表側に折り返しているので、アダプターの基部において剛性を持たすことができる。その結果、紙や極めて薄手のプラスチックなどの強度が弱い素材を使用しても十分な強度を保つことができ、材料コストを削減することができる。また、同時に折り返し箇所の裏面に丸みを持たせているので、アダプターの周縁が着用者の顔面に当たる際に食い込むことがなく装着時の痛みなどの違和感を解消することができるという複合的な作用効果が生じる。。
【図面の簡単な説明】
【００２０】
【図１】本願考案の衛生マスク用アダプターの斜視図。
【図２】同上、断面図。
【考案を実施するための最良の形態】
【００２１】
以下、本願考案の衛生マスク用アダプターの具体的実施例を添付図面に基づいて説明する。本願考案の衛生マスク用アダプターは薄板状の素材により着用者の顔面の鼻および口付近を覆う碗状に構成されるとともに複数の窓部を設けた形状からなる。ここでは、環状の基部１から２本の縦フレーム２、２と上記縦フレームと交差する１本の横フレーム３を山型に隆起させた形状に薄板状のプラスチック素材を一体成形することにより、内部に空間Ｓを確保するとともに各フレーム間に窓部Ｗが配置される碗状のアダプターを得ている。
【００２２】
前記のフレームの構成は一例であり、複数の窓部が確保されれば構成はこれに限らないことはもちろんである。
【００２３】
前記の環状の基部１は周縁を表側に折り返すことにより折り返し部１Ａを構成するとともに、折り返し箇所の裏面に丸みを持たせるよう折り返している。これにより、アダプターの基部に剛性を持たせるとともに、アダプターの周縁が着用者の顔面に当たる際に食い込むことを防止している。
【００２４】
なお、アダプターの素材はプラスチックに限らず紙であってもよいことはもちろんである。紙の場合、呼気からの湿気により強度が低下しないように合成樹脂を含浸させたり、合成樹脂を被覆したり、あるいは防水塗料を塗布してもよい。
【符号の説明】
【００２５】
１      基部
１Ａ    折り返し部
２      縦フレーム２
３      横フレーム
Ｗ      窓部
Ｓ      空間
【図１】
0003227454.tif 000003
【図２】
0003227454.tif 000004